(57)【要約】      （修正有）【課題】被保持部材を近接配置させることができる可燒性の保持ベルトを提供する。【解決手段】氷のう３等の被保持部材を内面側に支持する支持部と、支持部の一側から延設され患部に対して巻回される一対の脚部１３，１５と、脚部１３，１５の巻回し時に脚部１３，１５の内面側を支持部又は脚部１３，１５の外面側に着脱自在に係止する係止部１７と、支持部の他側と相手方保持ベルト１の支持部の他側との間を着脱自在に結合する結合部１９とを備えたことを特徴とする。【選択図】図６
0003164234.tif 000002
【実用新案登録請求の範囲】
【請求項１】
単一で又は少なくとも一対結合して用いられ患部に対して巻回し係止することで被保持部材を保持する可撓性の保持ベルトであって、
前記被保持部材を内面側に支持する一端側の支持部と、
該支持部の一側から延設され前記患部に対して巻回される他端側の一対の脚部と、
該脚部の巻回し時に前記脚部の内面側を前記支持部又は脚部の外面側に着脱自在に係止する係止部と、
前記支持部の他側と相手方保持ベルトの支持部の他側との間を着脱自在に結合する結合部と、
を備えたことを特徴とする保持ベルト。
【請求項２】
請求項１記載の保持ベルトであって、
前記結合部は、前記支持部の他側に一体の結合部本体と、該結合部本体の内面側に設けられた係合部と、前記結合部本体の外面側に設けられ前記相手方保持ベルトの係合部を係合させる被係合部とからなる、
ことを特徴とする保持ベルト。
【請求項３】
請求項２記載の保持ベルトであって、
前記結合部本体は、幅方向に連続する基端部及び幅方向でスリットにより分割形成された一対の先端部からなり、
前記結合部の係合部は、前記先端部の一方の内面側に設けられ、
前記結合部の被係合部は、前記基端部の外面側に設けられた、
ことを特徴とする保持ベルト。
【請求項４】
請求項１〜３の何れかに記載の保持ベルトであって、
前記係止部は、前記脚部の内面側に設けられた係合部と、前記支持部及び脚部の外面側に設けられ前記係合部を係合させる被係合部とからなる、
ことを特徴とする保持ベルト。
【請求項５】
請求項２〜４の何れかに記載の保持ベルトであって、
前記結合部及び前記係止部の係合部は、雄又は雌面ファスナーからなり、
前記結合部及び前記係止部の被係合部は、雌又は雄面ファスナーからなる、
ことを特徴とする保持ベルト。
【請求項６】
請求項５記載の保持ベルトであって、
前記雌又は雄面ファスナーは、前記結合部の結合部本体、前記支持部、及び前記脚部の外面側全域に形成された、
ことを特徴とする保持ベルト。
【考案の詳細な説明】
【技術分野】
【０００１】
本考案は、膝等の患部に巻回して氷のう等の被保持部材を保持する可撓性の保持ベルトに関する。
【背景技術】
【０００２】
保持ベルトとしては、特許文献１のようなものがある。この保持ベルトは、一端側内面に被保持部材である保冷用又は加温用の保温パックを支持する支持部を備え、他端側を患部である腕や足等に対して巻回すと共に一端側上に係止するようになっている。他端側と一端側との係止は、他端側内面の雄面ファスナーと一端側外面の雌面ファスナーによって行われる。
【０００３】
このような保持ベルトでは、複数結合して肩や腰等に対しても巻回し可能とすることができる。結合の際は、一の保持ベルトの他端側雄面ファスナーを、他の保持ベルトの一端側雌面ファスナーに係合させる。
【０００４】
しかしながら、かかる場合は、結合された保持ベルトの保温パックが、一の保持ベルトの両端に離間して配置されることになる。このため、従来の保持ベルトでは、複数結合しても肩や腰等に対して保温パックを適切に配置させることができない場合があった。
【先行技術文献】
【特許文献】
【０００５】
【特許文献１】特開２００８−１１０１０２号公報
【考案の概要】
【考案が解決しようとする課題】
【０００６】
解決しようとする問題点は、結合された保持ベルトに保持される被保持部材が、一の保持ベルトの両端に離間して配置される点である。
【課題を解決するための手段】
【０００７】
本考案は、結合された保持ベルトに保持される被保持部材を近接配置するため、単一で又は少なくとも一対結合して用いられ患部に対して巻回し係止することで被保持部材を保持する可撓性の保持ベルトであって、前記被保持部材を内面側に支持する一端側の支持部と、該支持部の一側から延設され前記患部に対して巻回される他端側の一対の脚部と、該脚部の巻回し時に前記脚部の内面側を前記支持部又は脚部の外面側に着脱自在に係止する係止部と、前記支持部の他側と相手方保持ベルトの支持部の他側との間を着脱自在に結合する結合部とを備えたことを最も主な特徴とする。
【考案の効果】
【０００８】
本考案によれば、保持ベルトの結合使用時に支持部が相互に結合されて隣接するため、被保持部材を近接配置させることができる。
【図面の簡単な説明】
【０００９】
【図１】保持ベルトの平面図である（実施例）。
【図２】図１の保持ベルトの底面図である（実施例）。
【図３】図１の保持ベルトの左側面図である（実施例）。
【図４】図１の保持ベルトの拡大正面図である（実施例）。
【図５】図１の保持ベルトの拡大背面図である（実施例）。
【図６】図１の保持ベルトに対する氷のうの支持状態を示し、（ａ）は平面図、（ｂ）は左側面図である（実施例）。
【図７】図１の保持ベルトの単一使用状態を示す斜視図である（実施例）。
【図８】図１の保持ベルトの他の単一使用状態を示す斜視図である（実施例）。
【図９】一対の保持ベルトの結合時の氷のうの支持状態を示し、（ａ）は平面図、（ｂ）は左側面図である（実施例）。
【図１０】図９の一対の保持ベルトの結合使用状態を示し、（ａ）は正面図、（ｂ）は背面図、（ｃ）は右側面図、（ｄ）は左側面図である（実施例）。
【考案を実施するための形態】
【００１０】
結合された保持ベルトに保持される被保持部材を近接配置するという目的を、被保持部材を支持する支持部間を結合する結合部によって実現した。
【実施例】
【００１１】
［保持ベルトの構成］
図１は本考案の一実施例に係る保持ベルトの平面図、図２は同底面図、図３は同右側面図、図４は同正面図、図５は同背面図、図６は図１の保持ベルトに対する氷のうの支持状態を示し（ａ）は平面図、（ｂ）は側面図である。
【００１２】
保持ベルト１は、図１〜図６のように、被保持部材である氷のう３を支持し、患部である膝や肘等に対する巻回し係止することによって氷のう３を保持する。保持される氷のう３は、内部に冷却用の水や氷等を封入するものであり、袋状の本体部５に円筒状の導入口７が設けられている。この導入口７を介して、本体部５内に冷却用の水や氷等が導入される。導入口７の外周には、フランジ部８が設けられている。導入口７の先端は、蓋部９が螺合されて封止される。なお、被保持部材としては、加温用の加温パックや湿布等とすることも可能である。
【００１３】
前記保持ベルト１は、支持部１１と、一対の脚部１３，１５と、係止部１７と、結合部１９とを備えている。
【００１４】
支持部１１は、保持ベルト１の一端側に矩形帯状に形成されている。支持部１１の略中央部には、円形形状の貫通孔２１が内外に貫通形成されている。貫通孔２１は、氷のう３の導入口７を挿入させるようになっている。
【００１５】
一対の脚部１３，１５は、保持ベルト１の他端側に形成され、膝や肘等に対して巻回されるものである。脚部１３，１５は、支持部１１に対して幅方向に小さく長手方向に大きい矩形帯状に形成されている。この脚部１３，１５は、支持部１１一側の幅方向両側から長手方向に沿って延設されている。脚部１３，１５の相互間は、隙間２３を有して離間配置されている。
【００１６】
係止部１７は、脚部１３，１５の巻回し時に、脚部１３，１５の内面側を支持部１１又は脚部１３，１５の外面側に着脱自在に係止する。この係止部１７は、係合部２５及び被係合部２７からなる。
【００１７】
係合部２５は、雄面ファスナーによって構成され、脚部１３，１５の先端側内面に矩形状に配置されている。被係合部２７は、係合部２５を面係合可能な雌面ファスナーからなり、支持部１１及び脚部１３，１５の外面全域に設けられている。
【００１８】
なお、係合部２５及び被係合部２７は、上記とは逆に、係合部２５を雌面ファスナーとし、被係合部２７を雄面ファスナーとしてもよい。また、係合部２５及び被係合部２７は、面ファスナーに限られず、例えば雄ボタン及び該雄ボタンを挿入係合させる雌ボタンであってもよい。
【００１９】
結合部１９は、保持ベルト１の支持部１１の他側に、他の保持ベルトの支持部の他側を着脱自在に結合可能とする。この結合部１９は、結合部本体２９と、係合部３１と、被係合部３３とを備えている。
【００２０】
結合部本体２９は、支持部１１他側に一体の基端部３５及び基端部３５に一体の一対の先端部３７，３９からなっている。基端部３５は、支持部１１他側の幅方向に沿って連続して設けられている。先端部３７，３９は、支持部１１他側の幅方向中間部に設けられたスリット４１によって相互に分割形成されている。この先端部３７，３９は、幅方向に長い矩形形状に形成されている。この結合部本体２９の内面及び外面には、係合部３１及び被係合部３３が設けられている。
【００２１】
係合部３１は、雄面ファスナーからなり、一方の先端部３７内面に矩形状に配置されている。被係合部３３は、結合部本体２９の基端部３５外面に形成された雌面ファスナーからなっている。
［保持ベルトの作用］
本実施例の保持ベルト１は、単一で又は一対結合して使用される。
（単一使用）
図７は、図１の保持ベルトの使用状態を示す斜視図、図８は、図１の保持ベルトの他の使用状態を示す斜視図である。
【００２２】
本実施例では、図７及び図８のように、保持ベルト１が単一使用によって患部である膝Ｇ又は肘Ｅに巻回し係止される。
【００２３】
保持ベルト１の単一使用時には、図６のように、まず支持部１１の内面側に氷のう３を支持させておく。支持の際には、支持部１１の貫通孔２１に氷のう３の導入口７を内面側から挿入する。これにより、氷のう３は、導入口７のフランジ部８が貫通孔２１の開口縁部で支持部１１の外面に当接し、本体部５が支持部１１の内面に当接する。こうして、氷のう３は、支持部１１の内面側に支持される。
【００２４】
次いで、図７及び図８のように、支持部１１を膝Ｇ又は肘Ｅ上に位置させて氷のう３を膝Ｇ又は肘Ｅに当接させる。この状態で、保持ベルト１の脚部１３，１５を膝Ｇ又は肘Ｅに対して巻回す。
【００２５】
膝Ｇへの巻回し時には、図７のように、膝Ｇの裏側に脚部１３，１５間の隙間２３を位置させつつ、脚部１３，１５を下腿Ｌ及び大腿Ｔに対して各別に巻回す。同様にして、肘Ｅへの巻回し時には、図８のように隙間２３を肘Ｅの裏側に位置させつつ脚部１３，１５を前腕Ｆ及び上腕Ｈに対して各別に巻回す。これにより、保持ベルト１は、膝Ｇ又は肘Ｅの動きを許容しながら確実に巻回すことができる。
【００２６】
巻回された脚部１３，１５は、支持部１１の外面上に位置すると共に係止部１７の係合部２５と被係合部２７との面係合により係止される。
【００２７】
こうして、保持ベルト１は、患部である膝Ｇ又は肘Ｅに対し巻回し係止されて氷のう３を保持することができる。
（結合使用）
図９は一対の保持ベルトの結合時の氷のうの支持状態を示し、図１０は図９の保持ベルトの使用状態を示し、（ａ）は正面図、（ｂ）は背面図、（ｃ）は右側面図、（ｄ）は左側面図である。
【００２８】
本実施例では、図９及び図１０のように、一対の保持ベルト１，１Ａが結合使用によって患部である肩Ｓに巻回し係止される。なお、一対の保持ベルト１，１Ａは、同一構成であるが、図９及び図１０において他方の保持ベルト１Ａについては符号にＡを付して表示する。
【００２９】
保持ベルト１，１Ａを結合使用するときには、まず保持ベルト１，１Ａの支持部１１，１１Ａの他側間を結合部１９，１９Ａによって結合する。結合の際には、一対の保持ベルト１，１Ａの内外面を一致させて、結合部１９，１９Ａのスリット４１，４１Ａを相互に噛み込ませる。このとき、一方の先端部３７，３７Ａを保持ベルト１，１Ａの外面上に位置させておく。
【００３０】
この状態で、一方の結合部１９の係合部３１を、他方の結合部１９Ａの被係合部３３Ａに面係合させる。同様に、他方の結合部１９Ａの係合部３１Ａを、一方の結合部１９の被係合部３３に面係合させる。
【００３１】
こうして結合された一対の保持ベルト１，１Ａは、支持部１１，１１Ａが隣接配置されることになる。そして、支持部１１，１１Ａには、単一使用時と同様に氷のう３，３Ａを支持させる。従って、保持ベルト１，１Ａは、氷のう３，３Ａを隣接させて近接配置させることができる。
【００３２】
次いで、図１０のように、支持部１１，１１Ａを肩Ｓの前後に位置させて近接配置された氷のう３，３Ａを肩Ｓの前後に各別に当接させる。この状態で、保持ベルト１，１Ａの脚部１３，１５，１３Ａ，１５Ａを胴Ｂに対して、前後からたすき掛け状に巻回す。
【００３３】
巻回された脚部１３，１５及び脚部１５Ａ，１３Ａは、先端側が胴Ｂの側方で相互に交差し、一方の脚部１３，１５の被係合部２７に他方の脚部１５Ａ，１３Ａの係合部２５Ａを面係合させて相互に係止される。
【００３４】
こうして、保持ベルト１，１Ａは、患部である肩Ｓに巻回し係止され、氷のう３，３Ａを肩Ｓの前後で確実に保持することができる。
【００３５】
なお、保持ベルト１，１Ａの結合使用は、患部としての腰等にも適用することができる。また、保持ベルト１，１Ａは、従来と同様に、一方の保持ベルト１の脚部１３，１５の係合部２５を、他方の保持ベルト１Ａの支持部１１外面の被係合部２７に係合させて結合使用することも可能である。これにより、保持ベルト１，１Ａの結合使用では、氷のう３，３Ａを離間配置させることもできる。
［実施例の効果］
本実施例の保持ベルト１は、氷のう３を内面側に支持する一端側の支持部１１と、該支持部１１の一側から延設され患部に対して巻回される他端側の一対の脚部１３，１５と、該脚部１３，１５の巻回し時に脚部１３，１５の内面側を支持部１１又は脚部１３，１５の外面側に着脱自在に係止する係止部１７と、支持部１１の他側と相手方保持ベルト１の支持部１１の他側との間を着脱自在に結合する結合部１９とを備えている。
【００３６】
従って、本実施例では、保持ベルト１，１Ａの結合使用時に支持部１１，１１Ａが相互に他側を結合されて隣接するため、氷のう３，３Ａを隣接させて近接配置させることができる。このため、保持ベルト１では、結合使用時にも、肩Ｓ等に対して氷のう３を適切に配置させることができる。
【００３７】
結合部１９は、支持部１１の他側に一体の結合部本体２９と、該結合部本体２９の内面側に設けられた係合部３１と、結合部本体２９の外面側に設けられ相手方保持ベルト１Ａの係合部３１を係合させる被係合部３３とからなる。
【００３８】
従って、本実施例では、保持ベルト１，１Ａの支持部１１，１１Ａ間を容易且つ確実に結合することができる。
【００３９】
結合部本体２９は、幅方向に連続する基端部３５及び幅方向でスリット４１により分割形成された一対の先端部３４，３９からなり、結合部１９の係合部３１は、一方の先端部３７の内面側に設けられ、結合部１９の被係合部３３は、基端部３５の外面側に設けられている。
【００４０】
従って、本実施例では、より確実に保持ベルト１，１Ａの支持部１１，１１Ａ間を結合することができる。
【００４１】
前記係止部１７は、脚部１３，１５の内面側に設けられた係合部２５と、支持部１１及び脚部１３，１５の外面側に設けられ係合部２５を係合させる被係合部２７とからなる。
【００４２】
従って、本実施例では、単一使用時及び結合使用時の双方において、容易且つ確実に巻回し係止を行わせることができる。
【００４３】
結合部１９及び係止部１７の係合部３１，２５は、雄又は雌面ファスナーからなり、結合部１９及び係止部１７の被係合部３３，２７は、雌又は雄面ファスナーからなる。
【００４４】
従って、本実施例では、より容易に保持ベルト１，１Ａの支持部１１，１１Ａ間を結合及び巻回し係止を行わせることができる。
【００４５】
結合部１９及び係止部１７の被係合部３３，２７である雌又は雄面ファスナーは、結合部１９の結合部本体２９、支持部１１、及び脚部１３，１５の外面側全域に形成されている。
【００４６】
従って、本実施例では、より容易に保持ベルト１，１Ａの支持部１１，１１Ａ間を結合及び巻回し係止を行わせることができると共に、巻回し係止時の長さ調整を容易に行わせることができる。
【符号の説明】
【００４７】
１  保持ベルト
３  氷のう（被保持部材）
１１  支持部
１３，１５  脚部
１７  係止部
１９  結合部
２５  係合部（係止部）
２７  被係合部（係止部）
２９  結合部本体
３１  係合部（結合部）
３３  被係合部（結合部）
３５  基端部
３７，３９  先端部
４１  スリット
【図１】
0003164234.tif 000003
【図２】
0003164234.tif 000004
【図３】
0003164234.tif 000005
【図４】
0003164234.tif 000006
【図５】
0003164234.tif 000007
【図６】
0003164234.tif 000008
【図７】
0003164234.tif 000009
【図８】
0003164234.tif 000010
【図９】
0003164234.tif 000011
【図１０】
0003164234.tif 000012